Podtech/llm-jp-corpus-v4-ja_patent huggingface dataset:
(57)【要約】      （修正有）【課題】燭台からローソクマットを外すことなく、垂れた蝋を容易に剥がすのみならず、溶けた蝋が燭台本体へ漏れ出すのを防止するローソクマットを提供する。  【解決手段】燭台２の上部火皿において、耐熱、防炎の伸縮自在な材質のローソクマット１を芯２ａを介して取り付けることにより、芯２ａと取付け穴１ａの密着性を高め、溶けた蝋の燭台火皿への漏れを防止すると共に、ローソクマット１を燭台２に取り付けたまま、上部に設けた突出部１ｂを指で引っ張ることでローソクマットが変形し、垂れて、冷えて固まった蝋が剥れ、一瞬にして離脱させる。【選択図】図２
0003101387.tif 000002
【実用新案登録請求の範囲】
【請求項１】
燭台（灯立）の火皿上部に設置するローソクマットにおいて、伸縮変形自在な材質を用いることにより、芯の直径より小さい取付け穴で密着性を高め、溶けた蝋の燭台への漏れを防止すると共に、指で摘める形状の突出部を上部に設け、燭台に取り付けたままの状態で当該突出部を引張ることによりローソクマット全体が変形するのを利用して、垂れた蝋を剥し、離脱させることを特徴とするローソクマット。
【考案の詳細な説明】
【技術分野】
【０００１】  本考案は、燭台からローソクマットを外すことなく、垂れた蝋を容易に剥がすのみならず、溶けた蝋が燭台本体へ漏れ出すのを防止するローソクマットである。
【背景技術】
【０００２】  従来、ローソクマットは燭台の火皿に設置されたローソクを立てるための芯を介して取付けられ、材質はアルミ箔と熱硬化性ゴムでできた物しか無かった。アルミ箔の場合は伸縮性が無いので芯との密着性が悪くなり、溶けた蝋が隙間を透して火皿に流れ込み、ローソクマットの機能が直ぐに失われていた。また熱硬化性ゴ厶の場合は、熱によりゴムが直ぐに硬化して収縮性が損なわれ、変形させて蝋を離脱させることができなくなった。いずれのローソクマットも突出部が無いため、清掃のため燭台から取り外すのに困難を極めた。
【考案の開示】
【考案が解決しようする課題】
【０００３】  アルミ箔などの金属を用いたローソクマットは伸縮性が無い為、取付け穴と芯との密着が悪く、漏れ出した蝋が火皿に固着し清掃に困難を要するばかりか、溢れ出して燭台本体を汚し、更に垂れて燭台が置かれている経机や仏壇まで汚していた。また熱硬化性ゴ厶を用いたローソクマットは直ぐに硬化して柔軟性を失った上、指で摘める部分が無いので、取り外しに困難を極めた。
【課題を解決するための手段】
【０００４】  燭台（灯立）の火皿上部に設置するローソクマットにおいて、伸縮変形自在な材質を用いることにより、芯の直径より小さい取付け穴で密着性を高め、溶けた蝋の燭台への漏れを防止すると共に、指で摘める形状の突出部を設け、燭台に取り付けたままの状態で当該突出部を引張ることによりローソクマット全体が変形するのを利用して、垂れた蝋を剥し、離脱させることを特徴とするローソクマットで問題点を解決している。
【考案の効果】
【０００５】  伸縮自在な材質により、ローソクマットの穴部を燭台芯に密着させることにより、溶けた蝋が漏れず、尚且つ、突出部を引っ張ることでローソクマット全体が変形するのを利用して、垂れた蝋をローソクマット表面から容易に剥すことができるので、燭台から取り外すことなく清掃が短時間で済む。
【考案を実施するための最良の形態】
【０００６】  当該ローソクマットの取付け穴を、通常の燭台芯の直径より小さく設定することで、芯との密着性を良くして蝋の漏れを防止すると共に、ローソクマット本体を燭台に取り付けたまま、ローソクマットの上部の一片に設けられた突出部を指で引っ張ることでローソクマット全体が変形し、蝋が一瞬にして容易に剥がれ落ちる。
【実施例】
【０００７】  以下、本考案の実施例を図１から図２を参照して説明する。図１は、本考案に係るローソクマットの一実施例を示したものである。【０００８】  図２はローソクマット本体１が燭台２に取り付けられた状態である。ローソクマット本体１の取付け穴１ａは芯２ａに入り、燭台の火皿に収まる。上部に設けられた突出部１ｂを指で引っ張る事で、芯２ａに入った取付け穴１ａと、突出部１ｂとの距離が変化し、ローソクマット本体１の全体を変形させ、垂れた蝋を剥す。
【図面の簡単な説明】
【０００９】
【図１】  本考案のローソクマットを示した斜視図である。
【図２】  燭台に本考案のローソクマットが取り付いた状態の斜視図である。
【符号の説明】
【００１０】１    ローソクマット本体
１ａ  取付け穴
１ｂ  突出部
２    燭台
２ａ  芯
【図１】
0003101387.tif 000003
【図２】
0003101387.tif 000004
(57)【要約】      （修正有）【課題】当事者しかスイッチを入れることが出来ない様にした電源ボタンスイッチを提供する。【解決手段】ハードウェア１に設置してある主電源ボタン３にロック機構４を取付けたものである。この様な構造であるから、当事者以外は入れることが出来ずセキュリテーは確保され本来の機能を使うのになんらさしつかえない。【選択図】図１
0003101381.tif 000002
【実用新案登録請求の範囲】
【請求項１】
パソコンの主電源ボタンにロック機構を取付けたスイッチ
【考案の詳細な説明】
【考案の詳細な説明】
この考案はパソコンの主電源ボタンにロック機構を取付けたものである。
従来のパソコンはソフト面での保護は可能であってもハード側のセキュリテーは無防備であり、知識のある者なら簡単に進入しデータの閲覧や、改ざん等が出来るものであった。
本考案はその欠点を除くために当事者しか開けない様にロック機構を取付けたもので、それを図面について説明すればハードウェア１に設置してある主電源ボタン３にロック機構４を取付けたものである。
本考案はこの様な構造であるから、当事者以外は開くことが出来ずセキュリテーは確保され本来の機能を使うのになんらさしつかえない。
【図面の簡単な説明】
【図１】本案の斜視図である。
【符号の説明】
１はハードウェア、２はディスプレイ。３は主電源ボタン、４はロック機構、
【図１】
0003101381.tif 000003
(57)【要約】
【課題】  金属や合成樹脂等でできた仏具の色調やデザインの外観印象を、製造後においても自由に変化させること。
【解決の手段】  仏具の外側表面に溝を設け、当該溝に嵌脱自在とした伸縮自在な材質のリングにおいて、嵌合するリングの色、或は形状の異なったものを複数用意することで、製造後においても仏具の外観印象を容易に、且つ自由に変えられるようにした。
【選択図】  図３
0003101386.tif 000002
【実用新案登録請求の範囲】
【請求項１】
仏具外側表面に溝を設け、当該溝に嵌脱自在な伸縮性のリングを配置することにより、当該仏具の外観印象を自在に変えられることを特徴とする仏具。
【考案の詳細な説明】
【技術分野】
【０００１】  本考案は、仏具の外側表面に設けた溝に対して嵌脱自在にした伸縮性リングにおいて、色やデザインが異なるものを複数個設け、自在に配置交換できることにより、仏具の外観印象を自在に変化させることができる仏具である。
【背景技術】
【０００２】  従来、金属や合成樹脂、木や石等でできた仏具の色調やデザインは、製造過程後においては変化させることができなかった。
【考案の開示】
【考案が解決しようする課題】
【０００３】  仏具の製造後であっても、販売店や購入客が好みに合わせて色調やデザインを変更できるようにすること。
【課題を解決するための手段】
【０００４】  仏具の外側表面に溝を設け、当該溝に嵌脱自在な伸縮性材質のリングにおいて、嵌合するリングの色や形状を異にしたものを複数個用意し、配置自在にすることで、当該仏具の外観印象を自在に変えられることにより問題点を解決している。
【考案の効果】
【０００５】  製造過程でしか変化させることが出来なかった色調やデザインなどの外観の印象を、販売店や購入客が好みに合わせ、自在に、且つ容易に変化させることができる。
【考案を実施するための最良の形態】
【０００６】  花立や燭台などの仏具の外側表面に、それ自体が模様になり、且つリングが軽く嵌合されるための浅い溝を製造過程で設け、上下いずれかから当該溝にリングを嵌め込み、または取り外せるようにし、色、或いは形状の異なったリングを当該溝の数より多く用意することで、自由に外観印象を変更することができる。
【実施例】
【０００７】  以下、本考案の実施例を図１から図３を参照して説明する。図１は、本考案に係るゴ厶などの伸縮自在な材質でできたリング２の一実施例を示したものである【０００８】  図２は当該リングが溝に嵌合されていない状態の仏具１である。１ａはリングが嵌合するための浅い溝であり、それ自体が仏具の模様になっている。【０００９】  図３はリング２を仏具１の溝１ａに嵌合した状態を示している。溝１ａを複数個設けると、リングの色やデザインの配列を変えられる。
【図面の簡単な説明】
【００１０】
【図１】  本考案に係るリングを示した斜視図である。
【図２】  リング嵌合無しの仏具の斜視図である。
【図３】  リングが嵌合された本考案の仏具の斜視図である。
【符号の説明】
【００１１】１    仏具
１ａ  溝
２    リング
【図１】
0003101386.tif 000003
【図２】
0003101386.tif 000004
【図３】
0003101386.tif 000005
(57)【要約】      （修正有）【課題】鮨を食するとき醤油用の皿を使わなくともよい便利な鮨パックの蓋を提供する。【解決手段】蓋の中央に縦６ｃｍ横９ｃｍ深さ０．６ｃｍの窪みを付けることにより、その窪みに醤油を入れることができ、醤油が広範囲に広がらないようにする。【選択図】図１
0003101382.tif 000002
【実用新案登録請求の範囲】
【請求項１】
蓋の中央に図１の２のように縦６ｃｍ横９ｃｍ深さ０．６ｃｍの醤油を入れる窪みを付けた鮨パック。
【考案の詳細な説明】
【技術分野】
【０００１】  鮨の持帰り用のパックに関するものである。
【背景技術】
【０００２】  従来の持帰り用パックは、鮨が小袋入り醤油と共に納められ、自宅でそのパック入りの鮨を食する時、別皿を持出し、それに醤油を入れて食していた。
【考案の開示】
【考案が解決しようとする課題】
【０００３】  このため別皿が必要であり、また、パック入り鮨を野外で食する時は皿がないため鮨に醤油を直接かけて食していた。
【考案が解決するための手段】
【０００４】  本考案は、パックの蓋に醤油を入れる窪みを付けることによって、これに醤油を入れて皿の代用として食べられる。
【考案の効果】
【０００５】  鮨を簡単に便利に、そしておいしく食べられる。
【考案を実施するための最良の形態】
【０００６】  本考案は、図面のようなパックを使用する。
【実施例】
【０００７】  図１は、パックの蓋（１）を裏返しにして窪みを上にして使用する状態図であって、図示していないが詰合せされている醤油小袋から醤油を窪みに入れて使用する。図２は、蓋（１）の断面図を示している。窪み（２）は蓋（１）の中央に設けることとする。図３は、容器（３）を蓋（１）と共にしたパックの斜視図である。
【図面の簡単な説明】
【０００８】
【図１】本考案の内側の斜視図である。
【図２】本考案のＡ−Ａ′断面図である。
【図３】本考案の蓋と容器を共にしたパックの斜視図である。
【符号の説明】
【０００９】１  蓋
２  醤油を入れる窪み
３  容器
ＡＡ′断面位置
【図１】
0003101382.tif 000003
【図２】
0003101382.tif 000004
【図３】
0003101382.tif 000005
(57)【要約】      （修正有）【課題】マットスイッチにおける密閉を確実にするとともに引出しリード線の破断を防止する。【解決手段】リード線２の引出し端面３より一定の間隔を置いた内側にて加圧溶着するとともに、加圧溶着に当って、リード線２周りの表裏に円曲凹み形の加圧面を形成するようにしたのである。これによって加圧溶着された外皮１ａ，１ｂとリード線２のケーブルシース２ａが極端に薄くなることがさけられ、また端面３から内側に離れているので加圧溶着した部分で屈曲することがなくなるため、外皮１ａ，１ｂとリード線２のケーブルシース２ａの溶着により薄くなった部分での屈曲がさけられて破断を生じないものとなる。【選択図】図３
0003101306.tif 000002
【実用新案登録請求の範囲】
【請求項１】
表裏の外皮内に面スイッチ部を挟入し四周を溶着してなるマットスイッチの隅角を広げた端面よりリード線を引出し、該端面より一定の間隔を置いた内側にて加圧溶着して表裏に円曲凹み形の加圧溶着面を形成するようにしたことを特徴とするマットスイッチにおけるリード線引出し部の溶着部構造。
【考案の詳細な説明】
【技術分野】
【０００１】
この考案はマットスイッチにおけるリード線引出し部の溶着部構造に関するものである。
【背景技術】
【０００２】
従来、この種のマットスイッチ１のリード線２は図６（ａ）に示すように隅角を拡げた端面３より引出して、該端面３に沿ってマットスイッチ１の四周４と同様に高周波による加圧溶着または熱加圧溶着して表裏に角形凹み５，５を形成して外皮１ａ，１ｂとリード線２間を溶着して密閉するようにしている。
【特許文献１】なし
【考案の開示】
【考案が解決しようとする課題】
【０００３】
このようなリード線２の引出し部の溶着部構造は図６（ｂ）に示すように外皮１ａ，１ｂのほか、リード線２のケーブルシース２ａも極端に薄くなり、また図６（ｃ）に示すように角形凹み５，５による角面が生ずること、および薄くなった部分が隅角位置によって屈曲しやすいことから短期のうちに破断するという課題がある。
【課題を解決するための手段】
【０００４】
本考案は、リード線２の引出し端面３より一定の間隔を置いた内側にて加圧溶着するとともに、加圧溶着に当って、リード線２周りの表裏に円曲凹み形の加圧面を形成するようにしたのである。これによって加圧溶着された外皮１ａ，１ｂとリード線２のケーブルシース２ａが極端に薄くなることがさけられ、また端面３から内側に離れているので加圧溶着した部分で屈曲することがなくなるため、外皮１ａ，１ｂとリード線２のケーブルシース２ａの溶着により薄くなった部分での屈曲がさけられて破断を生じないものとなる。
【考案の効果】
【０００５】
本考案は以上のように構成したので、マットスイッチのリード線引出し部の溶着部を強化して密閉を確実なものとし、長期に亘り破断しないものとする効果を生ずる。
【考案を実施するための最良の形態】
【０００６】
本考案は表裏の外皮内に面スイッチ部を挟入して四周を溶着してなるマットスイッチの外皮の隅角を広げた端面よりケーブル状のリード線を引出し、該端面より一定の間隔を置いた内側にて高周波による加圧溶着または熱加圧溶着して表裏に円曲凹み形の加圧溶着面を形成するようにしたのである。
【実施例１】
【０００７】
図１に示すように表裏の矩形をした外皮１ａ，１ｂ間内に面スイッチ部１ｃを挟入してなるマットスイッチ１の隅角を拡げた端面３よりケーブル状のリード線２を引出し、端面３から四周の溶着面４の幅のほぼ２倍程度内側に入った位置で向き合い端の中間の半円部を図５（ｂ）（ｃ）に示すように円曲凸体形とする溶着用押体６ａ，６ｂにて高周波による加圧溶着または熱加圧溶着して表裏および両側面に円曲凹み形の加圧溶着面５ａ，５ｂを形成して密閉するのである。溶着用押体６ａ，６ｂの円曲頂部にて外皮１ａ，１ｂとケーブルシース２ａ間の強固な加圧溶着がなされるとともに円曲の端に向かって次第に溶着圧が弱まるようにしているので、従来みられていた角形凹みによる角面と、マットスイッチ１の外皮１ａ，１ｂとリード線２のケーブルシース２ａが溶着部全体で極端に薄くなることがさけられて溶着による脆弱化を防止して溶着部の強度を著しく強化することができることとなる。
【産業上の利用可能性】
【０００８】
本考案は以上のようにしてマッチスイッチの水密裡の密閉を強化するとともにリード線の破断を防止することができるので、マットスイッチを厳しい使用環境下においても安心して利用することができることとなる。
【図面の簡単な説明】
【０００９】
【図１】マットスイッチの平面図
【図２】要部の拡大平面図
【図３】同部分の側断面図
【図４】リード線の屈曲の状態を示す説明図
【図５】高周波による加圧溶着または熱加圧溶着の説明図で、（ａ）は溶着前の状態の側断面図、（ｂ）は溶着用押体により加圧溶着している断面図、（ｃ）は同部分の正面図
【図６】従来例で、（ａ）はリード線引出し部分の平面図、（ｂ）は同拡大側断面図、（ｃ）はリード線の屈曲部位を示す側断面図
【符号の説明】
【００１０】
１はマットスイッチ
１ａ，１ｂは外皮
１ｃは面スイッチ部
２はリード線
２ａはケーブルシース
３は端面
４はマットスイッチ四周の溶着面
５，５は角形凹み溶着面（従来例）
５ａ，５ｂは加圧溶着面
６ａ，６ｂは溶着用押体
【図１】
0003101306.tif 000003
【図２】
0003101306.tif 000004
【図３】
0003101306.tif 000005
【図４】
0003101306.tif 000006
【図５】
0003101306.tif 000007
【図６】
0003101306.tif 000008
(57)【要約】
【課題】ペット動物等の体毛の洗浄を、能率良く行うことの出来る、シャワー機能付きブラシを提供することを目的とする。
【解決手段】内部が中空で外部に多数の針状突起を有し、針状突起間の基部に内部中空部に通ずる小径孔を複数開口させ、握り手部にバルブ機構を有し、握り手後端部にホース接続部を設け、回転自在なワンタッチ継ぎ手を取り付け、ホースからの水、温水等を小径孔より噴出させながら、水流の入、切及び回転自在に、ペット動物等の体表面の毛及び毛間に入り込んだ泥、埃等を梳き流すシャワー機能付きブラシ。
【選択図】図１
0003101305.tif 000002
【実用新案登録請求の範囲】
【請求項１】
内部が中空で外部に多数の針状突起を有し、針状突起間の基部に内部中空部に通ずる小径孔を複数開口させ、握り手後端部にホース接続部を設けホースからの水、温水等を小径孔より噴出させながらペット動物等の体表面の毛及び毛間に入り込んだ泥，埃等を梳き流すシャワー機能付きブラシ。
【請求項２】
上記握り手部内部にバルブ機構を備え、水流の入、切の出来る請求項１のブラシ。
【請求項３】
上記握り手部の後端部に回転自在でワンタッチでホースを継ぐことの出来る継ぎ手を備えた請求項１または２のブラシ。
【考案の詳細な説明】
【技術分野】
【０００１】
本考案は、ブラシにシャワー機能を付加し、ペット動物等の体毛の汚れ等を簡単に落とす事の出来る動物用等のブラシに関するものである。
【背景技術】
【０００２】
ペット動物の体を洗うには、ホース等でペット動物の体に水をかけながら、ブラシ等を使ってその体毛を洗浄するのが一般的に行われている方法である。しかしこのような方法では時間もかかりホースとブラシを持ち替えたりと面倒な面も多い。
【０００３】
また、従来提案されているシャワー機能付きのブラシ等は、構造が複雑で重く操作性が悪く
【０００４】
噴水の為の微細孔を、針状突起の中心に設ける等してあり、製作もし難い等の問題も多かった。
【特許文献１】実開平０６-０２３４４０公報
【特許文献２】実開平０６-０２１７５７公報
【特許文献３】実開平０６-０１９４５１公報
【特許文献４】実開平０６-０１５４７５公報
【特許文献５】特開平０４-２１０００４公報
【考案の開示】
【考案が解決しようとする課題】
【０００５】
解決しようとする問題点は、構造が複雑で製作性が悪く、且つ操作性が悪い点である。
【課題を解決するための手段】
【０００６】
本考案は、構造が簡単で製作し易く、軽く、操作性が良いことを主要な特徴とする。
【考案の効果】
【０００７】
本考案の、シャワー機能付きブラシを使用してペット動物等を洗う際、手元で水流の入、切が可能で、且つ自在に回転も可能であることから短時間でペット動物などの洗浄を終えることができる。
【考案を実施するための最良の形態】
【０００８】
針状突起の中心に微細孔を設けるのではなく、針状突起間の基部に小径孔を設けることにより、水の噴出をし易くすると同時に製作をし易くした。
【実施例１】
【０００９】
図１は、本考案の実施例の部分断面をした全体図で、図２はブラシ部の横断面図、図３は針状突起側からの図である。
【００１０】
針状突起の間基部に水噴出用の小径孔を設け、握り手部分にバルブ機構を備え、握り手後端部に回転自在のワンタッチ継ぎ手を取り付けている。
【産業上の利用可能性】
【００１１】
針状突起のある部分の形状を円形にする、針状突起の長さを短くする，或は長くする等して、動物用としてばかりでなく人の頭髪用等にも応用可能である。
【図面の簡単な説明】
【００１２】
【図１】針状突起の部分を部分断面にした全体側面図
【図２】針状突起の部分を横方向に切断した断面図
【図３】針状突起の方向から見た全体図
【図４】本提案の針状突起部、部分拡大図
【図５】従来の提案の針状突起部、部分拡大図
【符号の説明】
【００１３】
１    ブラシ本体部
２    針状突起
３    小径孔
４    内部中空部
５    バルブ機構
６    ワンタッチ継ぎ手
７    微細孔
【図１】
0003101305.tif 000003
【図２】
0003101305.tif 000004
【図３】
0003101305.tif 000005
【図４】
0003101305.tif 000006
【図５】
0003101305.tif 000007
(57)【要約】      （修正有）【課題】ベッドセンサーの使用における寝心地の悪さの解消とセンサー感度の向上を図る。【解決手段】ベッド１の台板２と敷布団３との間または敷布団上にセンサー用のマット４を敷入れ、該マット上に収容部４９を設けて、スポンジなど弾性のある材料にて一体もののほか、帯板状，丸棒状，かまぼこ状など各種の形状の圧力補助材５を１本乃至複数本にて選択挿入して良好な寝心地を保ちつつセンサー感度を向上させたようにしたことを特徴とするベッドセンサーにある。【選択図】図１
0003101307.tif 000002
【実用新案登録請求の範囲】
【請求項１】
ベッドの台板と敷布団との間または敷布団上にセンサー用のマットを敷入れ、該マット上に収容部を設けて、スポンジなど弾性のある材料にて一体もののほか、帯板状，丸棒状，かまぼこ状など各種の形状の圧力補助材を１本乃至複数本にて選択挿入して良好な寝心地を保ちつつセンサー感度を向上させたようにしたことを特徴とするベッドセンサー。
【考案の詳細な説明】
【技術分野】
【０００１】
この考案は使用者がベッド上にいるかどうかを検知するベッドセンサーに関するものである。
【背景技術】
【０００２】
従来、ベッドセンサーは図５（ａ）（ｂ）に示すように、ベッド１の台板（マットレス）２と敷布団３との間または敷布団３の上に幅一杯において押圧感知センサー用のマット４を敷入れて、敷布団上の人体の存在，不存在を遠隔検知するようにしている。
【特許文献１】なし
【考案の開示】
【考案が解決しようとする課題】
【０００３】
しかしながら、センサー用のマット４の挟入はベッド１上の寝心地を悪くするという課題と、体重の軽重や体型あるいは寝方によっては敷布団上に人体が存在していても不存在として誤認検知することもあるという課題があった。そこでマット４内にクッション性と検知感度の向上を図るスポンジ材を挿入することが試みられたが、使用者の各人に合った感度を調整することはできず、また密閉されたマット４内に大量の空気を含んだスポンジ材を入れたため、輸送や使用時の強い加圧によってマット４が破裂する事故が起こるという課題を生じた。
【課題を解決するための手段】
【０００４】
本考案はベッドの台板と敷布団との間または敷布団上にセンサー用のマットを敷入れてなるベッドセンサーにおいて、該センサー用のマット上に収容部を設けて、スポンジなど弾性のある材料にて一体もののほか、帯板状，丸棒状，かまぼこ状などの各種の形状の圧力補助材を１本乃至複数本にて選択挿入して良好な寝心地を保ちつつセンサー感度を向上させるように調整して、かかる課題を解決しようとするものである。
【考案の効果】
【０００５】
本考案は以上のようにして、ベッドを快適に使用して、しかもベッド上に使用者が存在しているか否かを確実に検知して知らせることができるという効果を生ずる。
【考案を実施するための最良の形態】
【０００６】
本考案はベッドの台板と敷布団との間または敷布団上に敷入れるセンサー用のマット上にポケット様の収容部を設けて、使用者の体重や体型などに合わせてスポンジなど弾性があって当たりが柔らかな材料にて形成した一体もの，帯板状，丸棒状，かまぼこ状など各種の形状の圧力補助材を１本乃至複数本にて選択挿入して調整して、良好な寝心地を保ちつつ押圧力の増強と集中とによりセンサー感度を向上させるようにしたのである。
【実施例１】
【０００７】
ベッド１のマットレスなどの台板２と敷布団３間の肩回り下や腰回り下などの一部に幅一杯において上面に収容部４ａを設けたセンサー用のマット４を敷入れする。該収容部４ａは例えば図２に示すように横断方向の両端を開放する形などにて形成して、該収容部４ａ内に図４に示すようにスポンジなどの弾性体にてなる一体もの５ａのほか帯板状５ｂ，丸棒状５ｃ，かまぼこ状５ｄ，波板状５ｅ，凹凸状５ｆなど形状や厚みの異なるものなどにて形成する圧力補助材５を１乃至複数本を選択して挿入するのである。なお６はリード線で、離れた個所に設ける確認灯，ブザーなどを備えた検知器（図示してない）につながっている。マット４は敷布団３上に敷入れることもある。
【０００８】
ベッド１の使用者が敷布団３上に寝ると重みがセンサー用のマット４を押して検知器は人体の存在を表示しており、使用者がベッド１上から転がり落ちたりしてベッド１上にいないと、検知器が不存在作動して確認灯が消えたり点滅したり、ブザーが鳴るなどして知らせることとなるが、使用者の体重が軽く、また細身などにて検知にバラつきが生ずる場合には適当する圧力補助材５を１乃至複数本センサー用マット４上の収容部４ａ内に挿入するのである。この場合使用者の寝心地に細心の注意を払って苦痛を与えないようにする。圧力補助材５は収容部４ａ内に収容することによって位置が固定されることとなる。以上により細身で軽量の使用者もベッド１上に存在しているか否かを確実に検知して知らせることができることとなる。
【産業上の利用可能性】
【０００９】
本考案は体重の軽重や体格などに合わせて最適の圧力補助材をセンサー用のマット上に設けた収容部に挿入することによりマット敷入れの不快感を解消し、使用者に最適な寝心地を保ちつつセンサー機能を向上することができるので、センサーを必要とする多くの人に利用されるものとなり、使用者の安全を保ち、養護・看護者の負担を軽減することができることとなる。
【図面の簡単な説明】
【００１０】
【図１】敷布団をめくりあげて見せるベッドセンサーの使用例を示す斜視図
【図２】収容部に圧力補助材を挿入したベッドセンサーの１例を示す斜視図
【図３】同、断面図
【図４】圧力補助材の各種形状例を示す斜視図
【図５】従来例図
【符号の説明】
【００１１】
１はベッド
２は台板
３は敷布団
４はセンサー用のマット
４ａは収容部
５，５ａ，５ｂ，５ｃ，５ｄ，５ｅ，５ｆは圧力補助材
６はリード線
【図１】
0003101307.tif 000003
【図２】
0003101307.tif 000004
【図３】
0003101307.tif 000005
【図４】
0003101307.tif 000006
【図５】
0003101307.tif 000007
(57)【要約】
【課題】
トラクタに作業機を連結して農作業を行うとき、運転席に座る作業者が、昼夜を問わず、頻繁に後を向かずに楽な姿勢で作業機の作業状態を監視できる装置を提供する。
【解決手段】
作業機の監視部分を撮影する監視カメラとその付近を照明する照明器を作業機に設置し、トラクタの運転席に監視モニタを設置する。監視カメラとしてビデオカメラを、照明器として作業灯を、監視モニタとして液晶ディスプレイを使用することができる。
【選択図】        図１
0003101342.tif 000002
【実用新案登録請求の範囲】
【請求項１】
トラクタに連結する作業機において、作業機の監視部分を撮影する監視カメラを前記作業機に設置し、前記トラクタの運転席に前記監視カメラが撮影した映像を映し出す監視モニタを設置することを特徴とする作業機の監視装置。
【請求項２】
作業機の監視部分を照明する照明器を作業機に設置することを特徴とする請求項１記載の作業機の監視装置。
【考案の詳細な説明】
【技術分野】
【０００１】
本考案は、トラクタで牽引する作業機の作業状態を遠隔監視する装置に関する。
【背景技術】
【０００２】
作業者が、トラクタに作業機を連結して農作業を行う場合、運転席に座る作業者は、頻繁に後を向いて作業状態を監視しなければならない。この監視作業は、トラクタの運転をしながら行うため、作業性が悪く、危険な上、疲労も大きい。作業が夜間の時は、トラクタ側に作業灯を設置して監視を行うが、機体の影が映り作業状態の確認がしにくい。
【特許文献１】実開昭５９−２９３２７号公報
【考案の開示】
【考案が解決しようとする課題】
【０００３】
本考案は、上記問題を解決するためになされたものであり、その課題は、トラクタに作業機を連結して農作業を行うとき、運転席に座る作業者が、昼夜を問わず、頻繁に後を向かなくても作業機の作業状態を監視できる装置を提供することにある。
【課題を解決するための手段】
【０００４】
前記課題を解決するため、本考案が採用する手段は、作業機の監視部分を撮影する監視カメラとその付近を照明する照明器を作業機に設置し、トラクタの運転席に監視モニタを設置することである。
【考案の効果】
【０００５】
本考案の装置は、トラクタに作業機を連結して農作業を行うとき、監視カメラが作業機の監視部分を、明るければそのまま、暗ければ照明して撮影し、その映像を運転席の監視モニタに映し出すから、運転席の作業者は、昼夜を問わず、後を向かずに楽な姿勢で作業状態を確認することができる。その結果、監視の作業性は向上し、トラクタは安全に運転され、作業者の疲労は軽減する。
【考案を実施するための最良の形態】
【０００６】
トラクタに作業機を連結して農作業を行うとき、作業機の監視部分を撮影する監視カメラとしてビデオカメラを、その付近を照明する照明器として作業灯をそれぞれ作業機に設置し、トラクタの運転席に監視カメラが撮影した映像を映し出す監視モニタとして液晶ディスプレイを設置する。複数の監視カメラを設置する場合、複数の監視モニタを設置するか又は１台の監視モニタに切り替え表示する。
【実施例】
【０００７】
本考案装置を図面に示す実施例に基づいて説明する。図１は実施例を備えるトラクタと掘取機の略図、図２は図１の要部を示す斜視図である。
【０００８】
トラクタ１に掘取機２を連結して作物３の堀取り作業を行うとき、掘取機２の掘り取り口４を撮影するビデオカメラ５と、その付近を照明する作業灯６をそれぞれ掘取機２の機体７に設置する。トラクタ１の運転席８にはビデオカメラが撮影した映像を映し出す液晶ディスプレイ９を設置する。ビデオカメラ５の信号は有線又は無線で液晶ディスプレイ９
に入力する。作業灯６の点滅は、運転席８から操作可能にする。
【０００９】
作業者がトラクタ１を運転して堀取り作業を行うとき、ビデオカメラ５が掘取機２の掘り取り口４を撮影し、その映像を液晶ディスプレイ９に映し出すから、運転席の作業者は、後を向いて掘り取り口４を見なくても、掘取機２が作物３を掘り取る状態を確認することができる。暗いときは、作業灯６を点灯して状態を確認する。このように、作業者は、昼夜を問わず、楽な姿勢で掘取機２の掘り取り作業状態を監視することができるので、監視作業は容易になり、作業者の疲労は軽減し、トラクタの安全運転も確保される。
【図面の簡単な説明】
【００１０】
【図１】実施例を備えるトラクタと掘取機の略平面図、
【図２】図１の要部を示す斜視図。
【符号の説明】
【００１１】
１：トラクタ
２：掘取機（作業機）
３：作物
４：掘り取り口
５：ビデオカメラ（監視カメラ）
６：作業灯（照明器）
７：機体
８：運転席
９：液晶ディスプレイ（監視モニタ）
【図１】
0003101342.tif 000003
【図２】
0003101342.tif 000004
(57)【要約】
【課題】    電磁波対策と衝撃緩和対策の双方を備えた磁気テープ又は磁気ディスク等の搬送用トランクを提供すること。
【解決手段】    トランクがアルミ製であり、ケース本体２及び蓋体３の内側面に導電シールドクロス５を貼着する。ケース本体２には導電シールドクロス５の上に導電ウレタン６を収容し、蓋体３には導電シールドクロス５にクッション材７を貼着し、導電ウレタンに磁気テープ又は磁気ディスクを収容する収納区域８を形成する。ケース本体２並びに蓋体３に結合金具１０と錠手段１１を設ける。錠手段１１のキー１２は、施錠状態でないと外れない構造である。
【選択図】    図１
0003101349.tif 000002
【実用新案登録請求の範囲】
【請求項１】
トランクがアルミ製であり、ケース本体（２）及び蓋体（３）の内側面に導電シールドクロス（５）を貼着し、上記ケース本体には上記導電シールドクロスの上に導電ウレタン（６）を収容し、上記蓋体には上記導電シールドクロスにクッション材（７）を貼着し、上記導電ウレタンに磁気テープ又は磁気ディスクを収容する収納区域を形成し、上記ケース本体並びに蓋体に結合金具を設けたことを特徴とする磁気テープ等の搬送用トランク。
【請求項２】
ケース本体（２）及び蓋体（３）に錠手段（１１）を設けたことを特徴とする請求項１に記載の磁気テープ等の搬送用トランク。
【請求項３】
錠手段（１１）のキー（１２）は、施錠状態でないと外れない構造であることを特徴とする請求項２に記載の磁気テープ等の搬送用トランク。
【考案の詳細な説明】
【技術分野】
【０００１】
本考案は、磁気テープ又は磁気ディスク等を電磁波並びに衝撃から保護し安全に搬送するための搬送用トランクに関するものである。
【背景技術】
【０００２】
磁気テープ又は磁気ディスク等を電磁波並びに衝撃から保護するための搬送用トランクは知られている。
【０００３】
従来公知のトランクは、トランク筐体がアルミ製で内部にクッション材を設け、該クッション材を導電ウレタンで形成することで、収納した磁気テープ又は磁気ディスク等に対し電磁波の影響を回避し同時に衝撃から保護するものであった。
【０００４】
しかし、磁気テープは新たな形態が開発されており、記録できるデータ容量が飛躍的に多くなったために価格がきわめて高価なものとなっている。新規な磁気テープを安全に搬送するには、電磁波対策が従来にも増して要求され他、衝撃に対しても従来以上に堅固な構造が要求されるが、現状では満足できる搬送用トランクはなかった。
【０００５】
また、磁気テープ並びに磁気ディスクはトランクに収納して宅配便で搬送することもあるが、搬送中の磁気テープ並びに磁気ディスクは、あらゆる電磁波及びあらゆる衝撃から保護する必要がある。
【考案の開示】
【考案が解決しようとする課題】
【０００６】
本考案は、電磁波対策と衝撃緩和対策の双方を備えた磁気テープ又は磁気ディスク等の搬送用トランクを提供することを課題としている。
【課題を解決するための手段】
【０００７】
解決手段は、トランクがアルミ製であり、ケース本体及び蓋体の内側面に導電シールドクロスを貼着し、上記ケース本体には上記導電シールドクロスの上に導電ウレタンを収容し、上記蓋体には上記導電シールドクロスにクッション材を貼着し、上記導電ウレタンに磁気テープ又は磁気ディスクを収容する収納区域を形成し、上記ケース本体並びに蓋体に結合金具を設けたことを特徴とするものである。また、ケース本体及び蓋体に錠手段を設けたことを特徴とし、錠手段のキーは、施錠状態でないと外れない構造であることを特徴とする。
【考案の効果】
【０００８】
本考案は、アルミ製のケース本体及び蓋体に内側に電磁波を内部に誘導しない導電シールドクロスを貼着し、ケース本体内には導電ウレタンを収容し、蓋体内にはクッション材を貼着したものであるから、導電シールドクロスと導電ウレタンの組み合わせにより電磁波の影響を回避すると共に衝撃緩和をなし得るものである。
【考案を実施するための最良の形態】
【０００９】
図を参照して、トランク１はケース本体２と蓋体３を蝶番４によって開閉自在としたものであり、当該ケース本体２及び蓋体３はアルミ製である。また、上記ケース本体２並びに蓋体３の内側面に電磁波を内部に誘導しない導電シールドクロス５を貼着し、さらにケース本体２には導電シールドクロス５の上に導電ウレタン６を収容し、蓋体３内には導電シールドクロス５の上にクッション材７を貼着している。
【００１０】
ケース本体２内に収容した導電ウレタン６には、図１においては、図示しない磁気テープを収納するテープ収納区域８が形成され、図２においては、図示しない磁気ディスクを収納する磁気ディスク収納区域９が形成されている。実施形態では、磁気テープ収納区域８が１個であり、磁気ディスク収納区域９が４個であるが、各収納区域８，９の個数が任意であることは勿論である。
【００１１】
図中、１０はケース本体２と蓋体３を固定する結合金具、１１は錠手段であり、キー１２は施錠状態でないと取り外せない構造になっている。１３はケース本体２の側壁ら設けた搬送用取手である。
【００１２】
本考案は以上の構造であり、磁気テープ収納区域８に磁気テープを収納し、磁気ディスク収納区域９に磁気ディスクを収納する。次いで蓋体３を閉じて結合金具１０を締結し、キー１２を抜けば錠手段１１は施錠状態となり搬送可能となる。なお、本考案は、ケースに結合金具１０と錠手段１１の安全措置が設けられており、なおかつ、錠手段１１は施錠しないと抜けない構造になっているから施錠忘れがなく安全性が高いものとなっている。
【実施例】
【００１３】
実施形態において、導電シールドクロス５は、日清紡の「デンジークロス（商標名）」を使用した。
【産業上の利用可能性】
【００１４】
電磁波対策と衝撃緩和の二重安全措置を備えているから、磁気テープ並びに磁気ディスクを安全に搬送でき、しかも宅配便による搬送も可能であり利便性が高い。
【図面の簡単な説明】
【００１５】
【図１】磁気テープ搬送用のトランク全体を示す斜視図。
【図２】磁気ディスク搬送用のトランク全体を示す斜視図。
【符号の説明】
【００１６】
１  トランク
２  ケース本体
３  蓋体
４  蝶番
５  導電シールドクロス
６  導電ウレタン
７  クッション材
８  磁気テープ収納区域
９  磁気ディスク収納区域
１０  結合金具
１１  錠手段
１２  キー
１３  搬送用取手
【図１】
0003101349.tif 000003
【図２】
0003101349.tif 000004
(57)【要約】
【課題】  オートレンズメータによる眼鏡レンズおよびコンタクトレンズの測定の際に器械操作者に被検レンズの左右の判別を知らしめるための機構を提供する。
【解決手段】  オートレンズメータにカラーモニターを測定画面として使用し、そのカラーの特性を利用して配色に左右判別の機能性を持たせ、左右レンズ判別の誤りを未然に防止する機能を設けた。
【選択図】  図１
0003101375.tif 000002
【実用新案登録請求の範囲】
【請求項１】
眼鏡レンズの光学特性を測定するレンズメータであり、測定用の表示画面にカラーモニターを有するレンズメータにおいて、眼鏡レンズの右眼側のレンズを測定する場合と左眼側のレンズを測定する場合に、異なった配色を用いたことを特徴とするレンズメータ。
【請求項２】
カラーモニター表示を有するレンズメータにおいて、測定条件および得られた測定値により、ある特定の配色に画面の一部あるいは全体に切換える切換判別手段を有するレンズメータ。
【考案の詳細な説明】
【技術分野】
【０００１】  本考案は、レンズメータによる眼鏡レンズおよびコンタクトレンズの測定の際に器械操作者に被検レンズの左右の判別を知らしめるための機構に関するものである。
【背景技術】
【０００２】  眼鏡レンズおよびコンタクトレンズの処方や沿うよう状態の検査、或いは製造現場での検査等に際しては、眼鏡レンズおよびコンタクトレンズの度数等の光学特性等を知ることが必要となる。そして、一般に、眼鏡レンズおよびコンタクトレンズの光学特性の測定にはレンズメータ等の光学測定装置が用いられている。【０００３】  特に最近はオートレンズメータの普及が進み、多用されつつある。そのオートレンズメータのほとんどは測定結果の記録装置を有しており、眼鏡レンズおよびコンタクトレンズ測定時において、その測定結果の記録装置が右レンズを記録する状態の時に必ず、右レンズを測定し、左レンズを記録する状態の時に必ず左レンズを測定しなければ、測定値は左右逆の結果として記録されてしまう問題点がある。
【考案の開示】
【考案が解決しようとする課題】
【０００４】  そのオートレンズメータのほとんどはその測定画面にモノクロのモニターを使用している。最近ではカラーモニターを使用するものも販売されてきているが、これらカラーモニター使用するものはほとんどが、従来のモノクロ画面をカラー化したに留まり、カラーの機能性を有効に使用されているものではない。【０００５】それ故、オートレンズメータが左右どちらのレンズを測定する状態であるか、器械操作者に十分に知らしめることができず、左右を間違えて測定してしまう問題が多々あった。【０００６】  眼鏡レンズおよびコンタクトレンズは左右眼のレンズを測定するという特徴から、測定時の左右判別の誤りは、眼鏡およびコンタクトレンズ処方の誤りにつながり、特に重要な問題である。【０００７】  ここにおいて、本考案は、上記の如き事情を背景として為されたものであって、その解決課題とするところは、オートレンズメータによる眼鏡レンズおよびコンタクトレンズの測定において左右いずれのレンズを測定する状態にあるかを明確かつ容易に器械操作者に判別せしめる手段を提供することにある。
【課題を解決するための手段】
【０００８】  そして、かかる課題を解決するために、本考案にあっては、オートレンズメータにカラーモニターを測定画面として使用し、そのカラーの特性を利用して配色に左右判別の機能性を持たせ、左右レンズ判別の誤りを未然に防止する機能を、その特徴とするものである。
【考案の効果】
【０００９】  本考案に従う構造とされたオートレンズメータにおいては、その測定画面の配色の違いにより眼鏡レンズおよびコンタクトレンズの測定において、オートレンズメータが左右いずれのレンズを測定する状態にあるかを明確かつ容易に器械操作者に判別せしめることができる。
【考案を実施するための最良の形態】
【００１０】  オートレンズメータにカラーモニターを測定両面として使用する。
【実施例】
【００１１】  以下、本考案を更に具体的に明らかにするために、本考案の実施例について詳細に説明する。【００１２】  先ず、図１および図２は本考案の実施例を理解するに有効な参考例としてオートレンズメータの測定画面が示されている。【００１３】  図１は右レンズの測定画面であり、図２は左レンズの測定画面である。カラーモニターの特性を生かし、右レンズ測定画面と左レンズ測定画面に異なる色を配色する。例えば右レンズ測定画面に黄色、左レンズ測定画面に橙色を配色し、器械操作者に左右どちらのレンズを測定する状態であるか明確に判別せしめる。
【産業上の利用可能性】
【図面の簡単な説明】
【図１】  眼鏡レンズおよびコンタクトレンズの右レンズ測定時のオートレンズメータの測定画面の図である。
【図２】  眼鏡レンズおよびコンタクトレンズの左レンズ測定時のオートレンズメータの測定画面の図である。
【符号の説明】
１０  右レンズ光学中心表示画面
１２  右レンズ測定値表示画面
１４  左レンズ光学中心表示画面
１６  左レンズ測定値表示画面
【図１】
0003101375.tif 000003
【図２】
0003101375.tif 000004
(57)【要約】
【課題】この考案は、懐中電灯に新たに可動式スイッチを取り付けた地震災害に対応する懐中電灯に関するものである。
【解決の手段】上部電極（５）と稼動電極（８）をばね（７）でつなぎ、下部電極（６）と懐中電灯本体（１）の穴から稼動軸（９）を稼動電極（８）に取り付けたスイッチを、懐中電灯本体（１）に取り付ける。
【選択図】図２
0003101377.tif 000002
【実用新案登録請求の範囲】
【請求項１】
懐中電灯に従来の消灯、点灯用メインスイッチに加え懐中電灯が転倒した時に、自動的に点灯するように可動するスライド式スイッチを、本体一面に取り付けた懐中電灯。
【考案の詳細な説明】
【考案の詳細な説明】
この考案は、懐中電灯が転倒した時に点灯するようにしたものである。
従来の懐中電灯は、点灯、消灯させるためには、手動で行うスイッチのみが付いているものであった。したがって、地震災害による停電が発生した場合に全くの暗闇の中で、地震で移動した懐中電灯を、物が散乱した中から見つけだし、懐中電灯を点灯させるのは、極めて困難である。
本案は、その欠点を除くために考案されたもので、これを図面について説明すれば、懐中電灯本体（１）の消灯，点灯スイッチ（２）以外に転倒時に点灯する、上部電極（５）と稼動電極（８）をばね（７）でつなぎ、下部電極（６）と懐中電灯本体（１）の穴から稼動軸（９）を稼動電極（８）に取り付けたスイッチを、懐中電灯本体（１）に増設する。
配線（３）と配線（４）はそれぞれ電球（１０）と乾電池（１１）片側極に接続する。
転倒時に点灯する配線（３）から稼動軸（９）で構成されるスイッチは、懐中電灯本体（１）の形状に合わせて最適な場所に取り付ける。
転倒時に点灯する配線（３）から稼動軸（９）で構成されるスイッチの仕組みは、懐中電灯本体（１）を保管するさい、稼動軸（９）が押し上げられる状態に置く、消灯、点灯スイッチ（２）は、ＯＮの状態にしておく。
地震などで、本体（１）が転倒した時には、ばね（７）の反発で稼動軸（９）が押し下げられ稼稼動電極（８）が下部電極（６）に触れて、電流が流れ懐中電灯が点灯する。
持ち歩く時は、稼動電極（８）と下部電極（６）が触れている状態なので、消灯，点灯スイッチ（２）で、点灯、消灯をすることができる。
このようにすれば、懐中電灯の保管位置が地震により変わっていてもライトが点灯していいるので、全くの暗闇で物が散乱している中でも容易に発見でき、避難時に最初に必要な明かりを確保することができる。迅速な避難行動に貢献できる。
また、ふだんは、懐中電灯を持ち上げた状態で使用するので稼動軸（９）はおしさげられている状態で、通常の懐中電灯として使用できるので便利である。
【図面の簡単な説明】
【図１】  本考案の懐中電灯内部に可動式スイッチを取り付けた状態の側面図
【図２】  本考案の懐中電灯内部に可動式スイッチを取り付けた状態の正面図
【図３】  本考案の懐中電灯の稼動スイッチ部分の斜視図
【図４】  本考案の懐中電灯の稼動スイッチ部分の消灯時の側面図
【図５】  本考案の懐中電灯の稼動スイッチ部分の点灯時の側面図
【図６】  本考案の懐中電灯のスイッチの配線側面図
【符号の説明】
１は懐中電灯本体        ２は消灯、点灯スイッチ          ３は配線
４は配線                ５は上部電極                    ６は下部電極
７はバネ                ８は稼動電極                    ９は稼動軸
１０は電球              １１は乾電池
【図１】
0003101377.tif 000003
【図２】
0003101377.tif 000004
【図３】
0003101377.tif 000005
【図４】
0003101377.tif 000006
【図５】
0003101377.tif 000007
【図６】
0003101377.tif 000008
【手続補正書】
【提出日】平成15年11月28日(2003.11.28)
【手続補正１】
【補正対象書類名】実用新案登録請求の範囲
【補正対象項目名】全文
【補正方法】変更
【補正の内容】
【実用新案登録請求の範囲】
【請求項１】
懐中電灯に消灯、点灯用メインスイッチに加え懐中電灯が転倒した時に、自動的に点灯するように可動するスライド式スイッチを、本体一面に取り付けた懐中電灯。
(57)【要約】
【課題】ショーケースの正面扉を上下に開閉する時、スムーズに小さな力で開閉しやすいような、扉断面を曲面型としたショーケースを提供する。
【解決手段】ショーケース本体１の正面部に正面曲面開閉扉２を設け扉アーム８を支持するバランサー９で構成し扉アーム８の支点１０を中心として扉を上下回動することを特徴とする。
【選択図】          図１
0003101374.tif 000002
【実用新案登録請求の範囲】
【請求項１】
ショーケース本体１の正面に、正面曲面開閉扉２と扉アーム８を支持するバランサー９で扉アーム８の支点１０を中心として正面曲面開閉扉２を上下回動することを特徴としたショーケース。
【請求項２】
正面曲面開閉扉２の上部に取手３を設け、バランサー９を使用し扉荷重をバランサー９の反力により相殺させ手動の小さな力で正面曲面開閉扉２の開閉を可能としたショーケース。
請求項１に記載する。
【考案の詳細な説明】
【技術分野】
【０００１】本考案はショーケース正面に、上下可動な、正面曲面開閉扉を設けたショーケースに関するものである。
【背景技術】
【０００２】従来のショーケースは、電動式であり停電時使用不可能であり又、使用機器点数も多く構造が複雑であった。
【特許文献１】      実開昭  ６１−１９２７５９（ショーケース）
【考案の開示】
【考案が解決しようとする課題】
【０００３】以上の技術は電動式である為、電気制御が複雑であり機器部品点数も多くコスト面でも高価である。
又、複雑であり、機器部品点数の多さから点検・修理に関しても必要以上の手間暇がかかった。
【考案を解決するための手段】
【０００４】本考案は手動式であり、正面曲面開閉扉上部に取手を設け小さな力で回動できる事を特徴とするショーケースである。
使用部品点数を減らし簡単な構造での扉開閉を実現した。
【考案の効果】
【０００５】本考案の効果として、正面曲面開閉扉を上下スライド開閉すること。
正面曲面開閉扉に開閉用の取手を設ける事により販売方法を変えられる。
手動によりライニングコストがかからず、掃除が容易に出来る。
また、点検・修理が容易に出来、製作の簡素化を図りコストダウンがはかれる。
【考案を実施するための最良の形態】
【０００６】以下考案の実施の形態を実施例に基ずき、図面を参照にして説明する。
【実施例１】
【０００７】図１は、本考案の正面曲面開閉扉２をショーケース本体１に組込んだ断面である。正面曲面開閉扉２の上部に取手３を備えていて、正面曲面開閉扉２の下部は、扉アーム８に固定されているもので、扉アーム８の支点１０を中心として回動するものである。【０００８】正面曲面開閉扉２の荷重は扉アーム８の中間に設けたバランサー９の収縮反力により相殺されるが、バランサー９は最短状態では、いくらか正面曲面開閉扉２の荷重の方が大きい状態になり、正面曲面開閉扉２は、ショーケース本体１の下部に収納された状態である。
図２は、正面曲面開閉扉２が、開時の右側面図である。又、斜視図を図３で示す。
正面曲面開閉扉２の上部に備えた取手３を上方向に手で持ち上げると、バランサー９は、次第に伸びて正面曲面開閉扉２の荷重は、バランサー９の伸長反力により荷重は相殺される。
バランサー９が最長時、扉荷重より反力が大きくなり、正面曲面開閉扉２は閉じた状態を維持する。その斜視図を図４に示す。
【産業上の利用可能性】
【０００９】曲面開閉扉の半径は、任意に決められ、蓋付の箱物の用途に適用できる。
【図面の簡単な説明】
【００１０】
【図１】  本考案の断面図である。
【図２】  本考案の右側面図である。
【図３】  本考案の扉開時、斜視図である。
【図４】  本考案の扉閉時、斜視図である。
【符号の説明】
【００１１】１．本体
２．正面曲面開閉扉
３．正面曲面開閉扉取手
４．照明
５．背面引戸
６．冷気吹出口
７．冷却器
８．扉アーム
９．バランサー
１０．支点
【図１】
0003101374.tif 000003
【図２】
0003101374.tif 000004
【図３】
0003101374.tif 000005
【図４】
0003101374.tif 000006
【手続補正書】
【提出日】平成15年12月3日(2003.12.3)
【手続補正１】
【補正対象書類名】実用新案登録請求の範囲
【補正対象項目名】請求項２
【補正方法】変更
【補正の内容】
【請求項２】
正面曲面開閉扉２の上部に取手３を設け、バランサー９を使用し扉荷重をバランサー９の反力により相殺させ手動の小さな力で正面曲面開閉扉２の開閉を可能とした請求項１に記載されたショーケース。